(57)【要約】      【課題】  ユーザに効率良く学習させるサービスを提供する。      【解決手段】  通信ネットワークを用いて端末に学習情報を提供する学習情報提供サーバを、端末に提供されるべき順序を決定する為のローテーション情報を含む複数の学習情報を蓄積した学習情報データベースと、学習情報データベースの中から、所定の学習情報の問題及び解答を該ローテーション情報に基づいて抽出する学習情報抽出手段と、該所定の学習情報以外の複数の学習情報の解答を抽出する解答群抽出手段と、抽出された該問題と該解答を用いて該所定の学習情報に関するテストを作成するテスト作成手段と、作成されたテストを、該通信ネットワークを介してアクセスしてきた端末に提供するテスト提供手段とで構成する。【選択図】      図２２
2006201209.tif 000002
【特許請求の範囲】
【請求項１】
通信ネットワークを用いて端末に学習情報を提供する学習情報提供サーバにおいて、
端末に提供されるべき順序を決定する為のローテーション情報を含む複数の学習情報を蓄積した学習情報データベースと、
前記学習情報データベースの中から所定の学習情報の問題及び解答を該ローテーション情報に基づいて抽出する学習情報抽出手段と、
該所定の学習情報以外の複数の学習情報の解答を抽出する解答群抽出手段と、
抽出された該問題と該解答を用いて該所定の学習情報に関するテストを作成するテスト作成手段と、
作成されたテストを、該通信ネットワークを介してアクセスしてきた端末に提供するテスト提供手段と、を有したこと、を特徴とする学習情報提供サーバ。
【請求項２】
ユーザが有する該端末の種類を判定する端末判定手段を更に有し、
判定結果に基づいて該端末に適合した形態の該学習情報を提供すること、を特徴とする請求項１に記載の学習情報提供サーバ。
【請求項３】
最新の該ローテーション情報よりも一つ前の該ローテーション情報を含む前回の学習情報、及び、前記テスト提供手段によって作成されたテストへのアクセス情報を該端末に配信すること、を特徴とする請求項１又は請求項２のいずれかに記載の学習情報提供サーバ。
【請求項４】
前記学習情報抽出手段は、該前回の学習情報の中から、該テストの問題となり得る該所定の学習情報の問題及び解答を抽出すること、を特徴とする請求項３に記載の学習情報提供サーバ。
【請求項５】
該テストの結果の情報を含む複数のユーザに関する情報を蓄積したユーザデータベースを更に有したこと、を特徴とする請求項１から請求項４のいずれかに記載の学習情報提供サーバ。
【請求項６】
該学習情報が、テキストデータ、音声データ、画像データの少なくとも一つによって構成されること、を特徴とする請求項１から請求項５のいずれかに記載の学習情報提供サーバ。
【請求項７】
該学習情報が語学に関するものであること、を特徴とする請求項１から請求項６のいずれかに記載の学習情報提供サーバ。
【請求項８】
英語の学習情報をテキスト及び音声データで有し、他の言語の学習情報を画像及び音声データで有したこと、を特徴とする請求項７に記載の学習情報提供サーバ。
【請求項９】
通信ネットワークを用いて端末に学習情報を提供する学習情報提供サーバにおいて、
ユーザが有する端末の種類に応じた複数のファイル形式で複数の学習情報の各々を蓄積した学習情報データベースと、
該端末の種類を判定する端末判定手段と、を有し、
判定結果に基づき、該端末で処理可能なファイル形式の該学習情報を前記学習情報データベースの中から抽出して当該端末に提供すること、を特徴とする学習情報提供サーバ。
【請求項１０】
通信ネットワークを用いて端末に学習情報を提供する学習情報提供システムにおいて、
端末に提供されるべき順序を決定する為のローテーション情報を含む複数の学習情報を蓄積した学習情報データベースと、前記学習情報データベースの中から所定の学習情報の問題及び解答を該ローテーション情報に基づいて抽出する学習情報抽出手段と、該所定の学習情報以外の複数の学習情報の解答を抽出する解答群抽出手段と、抽出された該問題と該解答を用いて該所定の学習情報に関するテストを作成するテスト作成手段とを有したサーバと、
前記サーバにアクセス可能な複数の端末と、を備え、
前記サーバが、前記端末のアクセスに応じ、該テストを当該端末に提供すること、を特徴とする学習情報提供システム。
【請求項１１】
前記複数の端末の各々は、その種類を識別する為の識別情報を有し、
前記サーバは、アクセスしてきた端末の該識別情報を取得する識別情報取得手段と、取得された識別情報に基づいて端末の種類を判定する端末判定手段とを更に有し、その判定結果に基づいて前記端末に適合した形態の該学習情報を提供すること、を特徴とする請求項１０に記載の学習情報提供システム。
【請求項１２】
前記学習情報データベースが、前記端末の種類に応じた複数のファイル形式で複数の学習情報の各々を蓄積しており、
前記端末に適合した形態の該学習情報が、当該端末で処理可能なファイル形式から成る学習情報であること、を特徴とする請求項１１に記載の学習情報提供システム。
【請求項１３】
前記サーバは、最新の該ローテーション情報よりも一つ前の該ローテーション情報を含む前回の学習情報、及び、前記テスト提供手段によって作成されたテストへのアクセス情報を該端末に配信すること、を特徴とする請求項１０から請求項１２のいずれかに記載の学習情報提供システム。
【請求項１４】
前記学習情報抽出手段は、該前回の学習情報の中から、該テストの問題となり得る該所定の学習情報の問題及び解答を抽出すること、を特徴とする請求項１３に記載の学習情報提供システム。
【請求項１５】
前記サーバが、該テスト結果の情報を含む複数のユーザに関する情報を蓄積したユーザデータベースを更に有したこと、を特徴とする請求項１０から請求項１４のいずれかに記載の学習情報提供システム。
【請求項１６】
該学習情報が、テキストデータ、音声データ、画像データの少なくとも一つによって構成されること、を特徴とする請求項１０から請求項１５のいずれかに記載の学習情報提供システム。
【請求項１７】
該学習情報が語学に関するものであること、を特徴とする請求項１０から請求項１６のいずれかに記載の学習情報提供システム。
【請求項１８】
英語の学習情報をテキスト及び音声データで有し、他の言語の学習情報を画像及び音声データで有したこと、を特徴とする請求項１７に記載の学習情報提供システム。
【請求項１９】
通信ネットワークを用いて端末に学習情報を提供する学習情報提供システムにおいて、
ユーザが有する端末の種類に応じた複数のファイル形式で複数の学習情報の各々を蓄積した学習情報データベースと、該端末の種類を判定する端末判定手段と、判定結果に基づき、該端末で処理可能なファイル形式の該学習情報を前記学習情報データベースの中から抽出する学習情報抽出手段とを有したサーバと、
前記サーバにアクセス可能な複数の端末と、を備え、
前記サーバが、前記端末のアクセスに応じ、抽出された学習情報を当該端末に提供すること、を特徴とする学習情報提供システム。
【発明の詳細な説明】
【技術分野】
【０００１】
この発明は、通信ネットワークを用いて端末に学習情報を提供する学習情報提供サーバ、及び、このような学習情報提供サーバを有した学習情報提供システムに関する。
【背景技術】
【０００２】
近年、通信インフラの整備の充実や携帯電話を始めとする様々な端末の普及に伴い、通信ネットワークを用いて端末に学習情報を提供する学習情報提供サーバ及びシステムが種々提案され、実用に供されている（例えば特許文献１、２、３、及び、４）。これらの特許文献に示されたようなサーバ及びシステムを用いた学習情報提供サービスの大きな利点は、学習すべき時と場所を選ぶことなく、ユーザが自由に学習できる点にある。
【特許文献１】特開２００２−２４４５４７号公報
【特許文献２】特開２００１−３５６６７９号公報
【特許文献３】特開２００１−３２４９１６号公報
【特許文献４】特開２０００−１８１８３７号公報
【発明の開示】
【発明が解決しようとする課題】
【０００３】
しかしながら先の学習情報提供サービスは、学習提供者と直に接して学習を行うわけではなく、学習効率の点で従来のもの（すなわち学校や塾に通って実際に授業を受けるもの）に比べて劣っていると考えられている。この為、このような学習情報提供サービスにおいて、より効率良く学習できるようなものが望まれている。
【０００４】
また、近年の通信インフラの整備の充実に伴い、端末側の規格も多様化している。この為、このような多様化された規格に対応し、サーバ側と端末側との間で学習情報が正常に処理されるように学習情報提供サーバ及びシステムを構成する必要がある。
【０００５】
そこで、本発明は上記の事情に鑑み、ユーザに効率良く学習させるサービスを提供し得る学習情報提供サーバ及び学習情報提供システムを提供することを目的とする。またさらに、多様化された様々な端末の規格に対応可能な学習情報提供サーバ及び学習情報提供システムを提供することも目的とする。
【課題を解決するための手段】
【０００６】
上記の課題を解決する本発明の一態様に係る学習情報提供サーバは、通信ネットワークを用いて端末に学習情報を提供するものであり、端末に提供されるべき順序を決定する為のローテーション情報を含む複数の学習情報を蓄積した学習情報データベースと、学習情報データベースの中から所定の学習情報の問題及び解答を該ローテーション情報に基づいて抽出する学習情報抽出手段と、該所定の学習情報以外の複数の学習情報の解答を抽出する解答群抽出手段と、抽出された該問題と該解答を用いて該所定の学習情報に関するテストを作成するテスト作成手段と、作成されたテストを、該通信ネットワークを介してアクセスしてきた端末に提供するテスト提供手段とを有したものである。
【０００７】
なお、上記学習情報提供サーバは、例えばユーザが有する該端末の種類を判定する端末判定手段を更に有し、判定結果に基づいて該端末に適合した形態の該学習情報を提供し得る。
【０００８】
また、上記学習情報提供サーバは、最新の該ローテーション情報よりも一つ前の該ローテーション情報を含む前回の学習情報、及び、テスト提供手段によって作成されたテストへのアクセス情報を該端末に配信することができる。このとき、学習情報抽出手段は、該前回の学習情報の中から、該テストの問題となり得る該所定の学習情報の問題及び解答を抽出し得る。
【０００９】
また、上記学習情報提供サーバは、該テストの結果の情報を含む複数のユーザに関する情報を蓄積したユーザデータベースを更に有したものであっても良い。
【００１０】
また、上記学習情報提供サーバにおいて、該学習情報が、テキストデータ、音声データ、画像データの少なくとも一つによって構成されたものであっても良い。
【００１１】
また、上記学習情報提供サーバが提供し得る該学習情報は、例えば語学に関するものである。このとき、上記学習情報提供サーバは、英語の学習情報をテキスト及び音声データで有し、他の言語の学習情報を画像及び音声データで有し得る。
【００１２】
また、上記の課題を解決する本発明の別の態様に係る学習情報提供サーバは、通信ネットワークを用いて端末に学習情報を提供するものであり、ユーザが有する端末の種類に応じた複数のファイル形式で複数の学習情報の各々を蓄積した学習情報データベースと、該端末の種類を判定する端末判定手段とを有しており、判定結果に基づき、該端末で処理可能なファイル形式の該学習情報を学習情報データベースの中から抽出して当該端末に提供する。
【００１３】
また、上記の課題を解決する本発明の一態様に係る学習情報提供システムは、通信ネットワークを用いて端末に学習情報を提供するものであり、端末に提供されるべき順序を決定する為のローテーション情報を含む複数の学習情報を蓄積した学習情報データベースと、学習情報データベースの中から所定の学習情報の問題及び解答を該ローテーション情報に基づいて抽出する学習情報抽出手段と、該所定の学習情報以外の複数の学習情報の解答を抽出する解答群抽出手段と、抽出された該問題と該解答を用いて該所定の学習情報に関するテストを作成するテスト作成手段とを有したサーバと、サーバにアクセス可能な複数の端末とを備えており、サーバが、端末のアクセスに応じ、該テストを当該端末に提供するものである。
【００１４】
なお、上記学習情報提供システムにおいて、複数の端末の各々はその種類を識別する為の識別情報を有したものであっても良く、サーバは、アクセスしてきた端末の該識別情報を取得する識別情報取得手段と、取得された識別情報に基づいて端末の種類を判定する端末判定手段とを更に有したものであり得、その判定結果に基づいて端末に適合した形態の該学習情報を提供することができる。
【００１５】
また、上記学習情報提供システムにおいて、学習情報データベースが、端末の種類に応じた複数のファイル形式で複数の学習情報の各々を蓄積したものであっても良く、端末に適合した形態の該学習情報が、当該端末で処理可能なファイル形式から成る学習情報であり得る。
【００１６】
また、上記学習情報提供システムにおいて、サーバは、最新の該ローテーション情報よりも一つ前の該ローテーション情報を含む前回の学習情報、及び、テスト提供手段によって作成されたテストへのアクセス情報を該端末に配信することができる。このとき、学習情報抽出手段は、該前回の学習情報の中から、該テストの問題となり得る該所定の学習情報の問題及び解答を抽出し得る。
【００１７】
また、上記学習情報提供システムにおいて、サーバが、該テスト結果の情報を含む複数のユーザに関する情報を蓄積したユーザデータベースを更に有したものであっても良い。
【００１８】
また、上記学習情報提供システムにおいて、該学習情報が、テキストデータ、音声データ、画像データの少なくとも一つによって構成されたものであっても良い。
【００１９】
また、上記学習情報提供システムが提供し得る該学習情報が語学に関するものであっても良い。このとき、上記学習情報提供システムは、英語の学習情報をテキスト及び音声データで有し、他の言語の学習情報を画像及び音声データで有し得る。
【００２０】
また、上記の課題を解決する本発明の別の態様に係る学習情報提供システムは、通信ネットワークを用いて端末に学習情報を提供するものであり、ユーザが有する端末の種類に応じた複数のファイル形式で複数の学習情報の各々を蓄積した学習情報データベースと、該端末の種類を判定する端末判定手段と、判定結果に基づき、該端末で処理可能なファイル形式の該学習情報を学習情報データベースの中から抽出する学習情報抽出手段とを有したサーバと、サーバにアクセス可能な複数の端末とを備えており、サーバが、端末のアクセスに応じ、抽出された学習情報を当該端末に提供するものである。
【発明の効果】
【００２１】
本発明の学習情報提供サーバ及び学習情報提供システムでは、ユーザに対して復習テストの提供やその成績等の提示を実施する為、当該ユーザは効率良く且つ高い学習効果を得ることができる。また、機種判別処理を実行し、それぞれの機種に対応して適切なファイル形式やサイズの画像・音声を提供することができる為、端末が多様化して様々な規格が作られてもそれに充分に対応することができる。
【発明を実施するための最良の形態】
【００２２】
以下、図面を参照して、本発明の実施の形態の学習情報提供システムについて説明する。
【００２３】
図１は、本実施形態の学習情報提供システム１００の構成を示した図である。本実施形態の学習情報提供システム１００は、学習情報提供サーバ１０、通信網５０、及び、複数の携帯端末（別の言い方をするとユーザ）Ｍ１〜Ｍｎを有している。学習情報提供サーバ１０は、ユーザに学習情報（本実施形態では語学学習情報）を提供するものであり、それを実行する為の各種プログラム及びデータを有している。また、通信網５０は、学習情報提供サーバ１０と様々な通信機器との接続を果たし得る。また、複数の携帯端末Ｍ１〜Ｍｎは、例えば周知の携帯電話等の無線通信端末であり、本実施形態では学習情報提供サーバ１０からの語学学習情報が提供され得る。なお、これらの携帯端末Ｍ１〜Ｍｎは、それぞれ異なるキャリアのものであり得、さらには異なる機種であり得る。また、各携帯端末Ｍ１〜Ｍｎは、図１において通信網５０と有線で接続されているように示されている。しかしながらこれは図面を簡略化する為であり、これらの携帯端末Ｍ１〜Ｍｎは、実際には、通信網５０に接続された基地局と無線で接続されている。
【００２４】
学習情報提供サーバ１０は、全体の制御を統括して実行する制御部１１、制御部１１が実行するプログラムや学習情報提供側が運営するサイトのデータを始めとする各種データを記憶したメモリ１２、自身が提供し得るサービスに対して会員登録したユーザに関する情報を蓄積したユーザデータベース１３、及び、学習情報を始めとする種々のサービスに関する情報を蓄積した学習情報データベース１４を有している。学習情報データベース１４は、自身が提供し得る待ち受け画像サービスのデータを格納した待ち受け画像用データ格納フォルダ１４ａ、書籍関係のサービスのデータを格納した書籍用データ格納フォルダ１４ｂ、及び、語学学習を提供するサービスのデータを格納した単語帳用データ格納フォルダ１４ｃを有している。
【００２５】
図２は、携帯端末Ｍ１（又はＭ２〜Ｍｎのいずれか）が学習情報提供サーバ１０にアクセスしたときにその画面Ｓに表示されるコンテンツを示した図である。画面Ｓに図２の如きコンテンツを表示させる為には、ユーザは、携帯端末Ｍ１の操作部（不図示）を操作し、そのキャリアが提供する検索プログラムを利用して検索するか、若しくは、学習情報提供サーバ１０のアドレスを直接入力する必要がある。なお、図２は学習情報提供サーバ１０が提供するサイトのトップページの全体を示したものであるが、画面Ｓは、実際にはトップページ全体を同時に表示することができず、その一部だけを表示させ得る。ユーザは、携帯端末Ｍ１を操作して画面の表示をスクロールさせることにより、当該トップページの全てを閲覧することができる。なお、以下、説明を簡略化する為に、学習情報提供サーバ１０と通信する端末を全て携帯端末Ｍ１とする。しかしながら実際には、携帯端末Ｍ１〜Ｍｎ等の様々な端末が学習情報提供サーバ１０と通信し得る。
【００２６】
ここで、図３に、携帯端末Ｍ１が学習情報提供サーバ１０にアクセスした際に学習情報提供システム１００において実行されるメインルーチンについて示す。上記の如き操作によって携帯端末Ｍ１が学習情報提供サーバ１０にアクセスし、当該アクセスが確立されると（ステップ１、以下ステップを「Ｓ」と略記）、携帯端末Ｍ１は、所定の環境変数（例えばHTTP_USER_AGENT）を送信する。これにより、学習情報提供サーバ１０の制御部１１は、携帯端末Ｍ１の環境変数を取得する（Ｓ２）。なお、ここでいう携帯端末Ｍ１の環境変数とは、少なくとも、携帯端末Ｍ１のキャリア、ブラウザのバーション、機種、バッファのサイズ、製造番号等の情報を含んだものである。
【００２７】
上記環境変数取得後、制御部１１は、トップページのコンテンツデータをメモリ１２から読み出して携帯端末Ｍ１に送信する。これにより、携帯端末Ｍ１が当該データを取得（例えば携帯端末Ｍ１が有するＲＡＭ（不図示）等に一時的に格納）し、その画面Ｓにトップページのコンテンツが表示される（Ｓ３）。
【００２８】
携帯端末Ｍ１がトップページにアクセスすると、その画面Ｓの最上部に学習情報提供サーバ１０が提供するサイト名が表示され、その下方にリンク文字ＬＣ１が表示される。このリンク文字ＬＣ１は「登録」と表されている。ユーザが携帯端末Ｍ１を操作してリンク文字ＬＣ１をクリックすると、図３のＳ４の会員登録処理が実行される。
【００２９】
図４は、図３のＳ４の処理を示したフローチャートであって、学習情報提供サーバ１０の制御部１１が実行する会員登録処理を示したフローチャートである。以下に、図４を参照して、本実施形態の会員登録処理を説明する。
【００３０】
トップページにおいてユーザがリンク文字ＬＣ１をクリックすると、それを示す信号が携帯端末Ｍ１から学習情報提供サーバ１０に送信される。制御部１１は、その送信データに呼応し、当サイトの利用規約のコンテンツデータをメモリ１２から読み出して携帯端末Ｍ１に送信する。なお、この利用規約は、当サイトに会員登録するユーザに対してその承認を求めるものである。当該データを携帯端末Ｍ１が受信すると、画面Ｓに利用規約及びその承認を求めるコンテンツが表示される。ユーザは、携帯端末Ｍ１を操作して当該利用規約に同意するか否かを選択し得る。ユーザが利用規約に同意しないことを選択した場合、制御部１１は、それを示した信号を携帯端末Ｍ１から受信して当該利用規約に同意されなかったことを検知する（Ｓ４１：ＮＯ）。そして図３のＳ３の処理に戻り、トップページのコンテンツデータを携帯端末Ｍ１に再送信する。これにより、画面Ｓにトップページが再表示される。
【００３１】
また、ユーザが利用規約に同意することを選択した場合、制御部１１は、それを示した信号を携帯端末Ｍ１から受信して当該利用規約に同意されたことを検知する（Ｓ４１：ＹＥＳ）。そして先に取得した環境変数の中から携帯端末Ｍ１の製造番号のデータを抽出し、携帯端末Ｍ１のユーザに関するデータとしてユーザデータベース１３に格納する（Ｓ４２）。
【００３２】
ここで、ユーザデータベース１３に格納されるデータの項目を以下に列挙する。
・製造番号
・メールアドレス
・登録単語帳
・覚えた単語番号
・間違えた単語番号
・単語帳開始日
・単語帳終了日
・成績
・メール配信
・ダウンロードされたコンテンツ
なお、先に説明された製造番号以外の各項目については後に詳説する。ユーザデータベース１３は、一人のユーザに対し、これらの項目を関連付けて記憶し得る。
【００３３】
Ｓ４２の処理を実行後、制御部１１は、メールアドレスの登録を求めるコンテンツデータを携帯端末Ｍ１に送信する。当該データを携帯端末Ｍ１が受信すると、画面Ｓにメールアドレスを登録するか否かを選択する為のコンテンツが表示される。ここで、ユーザがメールアドレスの登録を選択し、それを示す信号が学習情報提供サーバ１０に送信された場合、制御部１１は、それに呼応し、メールアドレスを入力させるコンテンツデータを送信する（Ｓ４３：ＹＥＳ）。当該データを携帯端末Ｍ１が受信すると、画面Ｓにメールアドレス入力用のコンテンツが表示される。ユーザがメールアドレスを入力して学習情報提供サーバ１０に送信すると、制御部１１は、当該メールアドレスを、携帯端末Ｍ１のユーザに関するデータとして（すなわち先の製造番号とも関連付けて）ユーザデータベース１３に格納する（Ｓ４４）。これにより制御部１１は、携帯端末Ｍ１のユーザの会員登録が完了したと判断し（Ｓ４５）、図３のＳ３の処理に再び戻る。すなわちトップページのコンテンツデータを携帯端末Ｍ１に再送信し、これにより、その画面Ｓにトップページが再表示される。なお、ユーザがメールアドレスを登録しないことを選択した場合（Ｓ４３：ＮＯ）、制御部１１は、それを示した信号を携帯端末Ｍ１から受信し、メールアドレス登録を実行することなく会員登録が完了したと判断する（Ｓ４５）。そして先と同様に図３のＳ３の処理に再び戻る。
【００３４】
なお、会員登録したユーザは、例えばコンテンツの利用状況に応じた金額或いは毎月定額をキャリアから徴収される。
【００３５】
図２に示されたトップページにおいて、リンク文字ＬＣ１の下方には、リンク文字ＬＣ２が表示されている。このリンク文字ＬＣ２は「お役立ち壁紙」と表されている。また、リンク文字ＬＣ２の下方には、リンク文字ＬＣ３が表示されている。このリンク文字ＬＣ３は「おすすめコンテンツ」と表されている。リンク文字ＬＣ２にリンクされた「お役立ち壁紙」のコンテンツは、携帯電話等の端末の待ち受け画像をユーザに無料で提供する為のものである。また、リンク文字ＬＣ３にリンクされた「おすすめコンテンツ」のコンテンツは、例えば出版社から提供され得る雑誌等の出版物の紹介の音声情報をユーザに無料で提供する為のものである。なお、これらのコンテンツは、会員登録していないユーザも閲覧及び利用することができる。
【００３６】
トップページにおいてユーザが携帯端末Ｍ１を操作してリンク文字ＬＣ２（又はＬＣ３）をクリックすると、それを示す信号が携帯端末Ｍ１から学習情報提供サーバ１０に送信される。制御部１１は、その送信データに呼応し、「お役立ち壁紙」（又は「おすすめコンテンツ」）のコンテンツデータをメモリ１２から読み出して携帯端末Ｍ１に送信する。当該データを携帯端末Ｍ１が受信すると、画面Ｓに図５に示された「お役立ち壁紙」（又は「おすすめコンテンツ」）のコンテンツが表示される。
【００３７】
ユーザが携帯端末Ｍ１を操作して図５に示された「お役立ち壁紙」のコンテンツにアクセスすると、その画面Ｓの最上部にコンテンツ名（お役立ち壁紙）が表示され、その下方に画像ＷＧ１が表示される。画像ＷＧ１は、携帯端末専用の待ち受け画像である。ここで、当サイトが主として語学学習を目的としていることから、画像ＷＧ１は、例えば風景等の所定の画像上に外国語を重ねて描画したものとなっている。なお、ここで描画される外国語には、例えば、英語や、中国語、韓国語、フランス語等の様々なものがある。また、その内容は、動詞の活用や母音の記号、ピンイン等の、ユーザに視覚的に学習させ得る文字列である。
【００３８】
なお、「お役立ち壁紙」のコンテンツに表示される画像ＷＧ１は、学習情報データベース１４内の待ち受け画像用データ格納フォルダ１４ａに蓄積されているものであり、制御部１１が、当該フォルダ１４ａの中から所定のローテーション情報に基づいて抽出したものである。ここで、待ち受け画像用データ格納フォルダ１４ａは、各待ち受け画像を、以下の項目のデータを関連付けて蓄積している。
・待ち受け画像の表題
・待ち受け画像のディレクトリ位置
・ローテーション
待ち受け画像の表題は当該画像名（例えばファイル名）を示し、待ち受け画像のディレクトリ位置（例えばＵＲＬ）は、画像用データ格納フォルダ１４ａ内の当該画像を格納しているアドレスを示す。なお、各画像のディレクトリには、各キャリア・各機種に対応した複数のファイル形式の画像がアップロードされている。また、ローテーションは、「お役立ち壁紙」のコンテンツに表示される画像を決定する為の設定情報（例えば表示順序）である。制御部１１は、ローテーションに従ってその日に表示すべき画像ＷＧ１を、待ち受け画像用データ格納フォルダ１４ａの中から抽出し得る。
【００３９】
また、画像ＷＧ１の下方には、「英語」と表されたリンク文字ＬＣ１１、「中国語」と表されたリンク文字ＬＣ１２、「韓国語」と表されたリンク文字ＬＣ１３、「フランス語」と表されたリンク文字ＬＣ１４、及び、「戻る」と表されたリンク文字ＬＣ１５が表示されている。ここで、ユーザが例えばリンク文字ＬＣ１１をクリックして学習情報提供サーバ１０にアクセスすると、画面Ｓには英語版の待ち受け画像の表題の一覧（又は画像そのものの一覧）のコンテンツが表示される。また、リンク文字ＬＣ１２〜１４をクリックすると、その言語に応じた画像やその表題の一覧のコンテンツが表示される。また、リンク文字ＬＣ１５をクリックすると、トップページのコンテンツが表示される。
【００４０】
ここで、ユーザが画像ＷＧ１（又は上記一覧の中のいずれか）をクリックして学習情報提供サーバ１０にアクセスすると、画面Ｓにはそれに対応したコンテンツが表示される。なお、ここで表示されるコンテンツとは、図５のものよりも大きいサイズの画像ＷＧ１（又は上記一覧の中から選択された画像）及び「ダウンロード」等のリンク文字から成るものである。このコンテンツにおいて「ダウンロード」のリンク文字をクリックすると、図６に示されたフローチャートの処理が開始される。なお、図６に示されたフローチャートは、図３のＳ５の処理を示したものであり、学習情報提供サーバ１０の制御部１１が実行する無料コンテンツ提供処理を示したものである。
【００４１】
上記「ダウンロード」のリンク文字がクリックされると、それを示す信号が学習情報提供サーバ１０に送信され、制御部１１は、それに呼応し、待ち受け画像用データ格納フォルダ１４ａの中から選択画像のデータを抽出する。ここで、端末側で表示可能なファイル形式がキャリア・機種によって異なることから、制御部１１は、携帯端末Ｍ１に対して機種判別処理を実行する（Ｓ５１）。なお、学習情報提供サーバ１０は、例えばメモリ１２等の記憶媒体に、キャリア、機種、対応画像判定記号（例えばそのキャリア・機種が表示可能な画像の拡張子（「jpg」や「gif」等）やサイズ等の情報）、及び、対応音声判別記号（例えばそのキャリア・機種が再生可能な音声の拡張子（「3gp」や「mp4」等）等の情報）を関連付けた機種判別データベースを格納している。本実施形態では、上述した理由により、複数種類のファイル形式のものを各データベースや各フォルダ内で用意する必要がある。しかしながらあるページ内（例えばhtmlデータ）で各キャリア・各機種毎の全ての対応ファイルを記述することは、サイトを制作する上で煩雑な作業となり得る。そこで本実施形態では、大元のファイル名（例えば「test.jpg」と「test.gif」があったとすると「test」）に、以下に詳説されるＳ５１の機種判別処理で判別された拡張子を付けてダウンロード対象となるデータを抽出するようにしている。
【００４２】
図７は、図６のＳ５１の処理を示したフローチャートであって、学習情報提供サーバ１０の制御部１１が実行する機種判別処理を示したフローチャートである。この処理を実行することにより、端末側で表示可能なファイル形式の画像や再生可能なファイル形式の音声が、学習情報提供サーバ１０内のデータベースから抽出される。
【００４３】
制御部１１は、先ず、図３のＳ２の処理で取得された携帯端末Ｍ１の環境変数を読み出し（Ｓ５１１）、今回の機種判別処理が適切なファイル形式及びサイズの画像を抽出する為のものであるか否かを判定する（Ｓ５１２）。例えば今回の機種判別処理が先の待ち受け画像をダウンロードする為のものである場合、制御部１１は、適切なファイル形式及びサイズの画像を抽出すべきと判定する（Ｓ５１２：ＹＥＳ）。そして機種判別データベースを参照し、携帯端末Ｍ１の機種が表示可能な画像の拡張子及びサイズを検索する（Ｓ５１３）。なお、適切なファイル形式の画像を抽出する為のものでないと判定した場合（Ｓ５１２：ＮＯ）、Ｓ５１３の処理を実行することなくＳ５１４の処理に進む。
【００４４】
Ｓ５１４の処理において制御部１１は、今回の機種判別処理が適切なファイル形式の音声を抽出する為のものであるか否かを判定する。例えば今回の機種判別処理が後述の音声コンテンツをダウンロードする為のものである場合、制御部１１は、適切なファイル形式の音声を抽出すべきと判定する（Ｓ５１４：ＹＥＳ）。そして機種判別データベースを参照し、携帯端末Ｍ１の機種が再生可能な音声の拡張子を検索して（Ｓ５１５）機種判別処理を終了する。なお、適切なファイル形式の音声を抽出する為のものでないと判定した場合（Ｓ５１４：ＮＯ）、Ｓ５１５の処理を実行することなく機種判別処理を終了する。
【００４５】
制御部１１は、Ｓ５１の機種判別処理の検索結果に基づき、携帯端末Ｍ１で表示可能な待ち受け画像を待ち受け画像用データ格納フォルダ１４ａの中から抽出して携帯端末Ｍ１に送信する（Ｓ５２）。携帯端末Ｍ１は、この待ち受け画像のデータを受信して図示しないメモリに保存する。これにより、待ち受け画像のダウンロードが完了する。ユーザは携帯端末Ｍ１を操作することにより、ダウンロードされた画像を待ち受け画像として設定することができる。なお、ダウンロード後は、「戻る」等のリンク文字をユーザがクリックすることにより、図２の当サイトのトップページや図５の「お役立ち壁紙」のページに戻ることができる。
【００４６】
なお、本実施形態の学習情報提供システム１００では、複数の画像を圧縮して学習情報提供サーバ１０にアップロードし、当該サーバ１０上で自動的に解凍されるようにしている。また、各テキスト情報を、ＣＳＶ（Comma Separated Values）形式で学習情報提供サーバ１０にアップロードしている。このような手法を採用することにより、サイト運営側は、一度に大量の画像をアップロードできる。従って、効率良い作業でサイト運営を行うことができる。
【００４７】
図８は、画面Ｓに表示される「おすすめコンテンツ」のコンテンツを示した図である。「お役立ち壁紙」の場合と同様の手順により携帯端末Ｍ１を操作して「おすすめコンテンツ」のコンテンツにアクセスすると、その画面Ｓの最上部にコンテンツ名（おすすめコンテンツ）が表示され、その下方にリンク文字ＬＣ２１、ＬＣ２２、及び、ＬＣ２３が表示される。リンク文字ＬＣ２１は「書籍１（例えば中国語学習関連の雑誌の表題等）」と表されている。また、リンク文字ＬＣ２２は「書籍２（例えば英語学習関連の雑誌の表題等）」と表されている。また、リンク文字ＬＣ２３は、「戻る」と表されており、図５のリンク文字ＬＣ１５と同様にトップページに戻る為のものである。
【００４８】
「おすすめコンテンツ」のコンテンツを利用する為に、ユーザが例えばリンク文字ＬＣ２１をクリックして学習情報提供サーバ１０にアクセスすると、画面Ｓに、書籍１の表紙の画像及び「ダウンロード」等のリンク文字が表示される。また、リンク文字ＬＣ２２をクリックすると、画面Ｓに、書籍２の表紙の画像及び「ダウンロード」等のリンク文字が表示される。これらのコンテンツにおいて「ダウンロード」をクリックすると、先の待ち受け画像の場合と同様の無料コンテンツ提供処理が開始される。制御部１１は、Ｓ５１の機種判別処理の検索結果に基づき、携帯端末Ｍ１で再生可能な音声を書籍用データ格納フォルダ１４ｂの中から抽出する（段落０４４参照）。そして抽出された音声コンテンツのデータを携帯端末Ｍ１に送信する。携帯端末Ｍ１は、この書籍の紹介の音声コンテンツのデータを受信し、図示しないメモリに保存する。これにより、書籍の音声情報のダウンロードが完了する。ユーザは携帯端末Ｍ１を操作することにより、ダウンロードされた音声を再生し、書籍の紹介を聴くことができる。なお、ダウンロード後は、「戻る」等のリンク文字をユーザがクリックすることにより、図２の当サイトのトップページや図８の「おすすめコンテンツ」のページに戻ることができる。また、ダウンロード可能な書籍の音声情報は、上述したものに限らず、韓国語やフランス語等の他の様々な言語であっても良い。
【００４９】
図２に示されたトップページにおいて、リンク文字ＬＣ３の下方には、リンク文字ＬＣ４が表示されている。このリンク文字ＬＣ４は「Global 音声コンテンツ」と表されている。リンク文字ＬＣ４にリンクされた「Global 音声コンテンツ」のコンテンツは、会員登録したユーザのみが利用可能な有料コンテンツである。
【００５０】
トップページにおいてユーザがリンク文字ＬＣ４をクリックすると、それを示す信号が携帯端末Ｍ１から学習情報提供サーバ１０に送信される。制御部１１は、その送信データに呼応し、「Global 音声コンテンツ」のコンテンツデータをメモリ１２から読み出して携帯端末Ｍ１に送信する。当該データを携帯端末Ｍ１が受信すると、画面Ｓに図９に示された「Global 音声コンテンツ」のコンテンツが表示される。
【００５１】
ユーザがリンク文字ＬＣ４をクリックして図９に示された「Global 音声コンテンツ」のコンテンツにアクセスすると、画面Ｓの上方から順に、リンク文字ＬＣ３１、ＬＣ３２、ＬＣ３３、ＬＣ３４、ＬＣ３５、ＬＣ３６、及び、ＬＣ３７が表示される。リンク文字ＬＣ３１は、「登録」と表されており、図２のリンク文字ＬＣ１と同様に会員登録のページにアクセスする為のものである。また、リンク文字ＬＣ３２は、「ダウンロード対応機種」と表されており、当コンテンツを利用可能な機種一覧を示したページにアクセスする為のものである。また、リンク文字ＬＣ３３は、「新着情報」と表されており、当コンテンツの新着情報のページにアクセスする為のものである。また、リンク文字ＬＣ３４は、「英語」と表されており、英語の書籍の音声データを配信するページにアクセスする為のものである。また、リンク文字ＬＣ３５は、「中国語」と表されており、中国語の書籍の音声データを配信するページにアクセスする為のものである。また、リンク文字ＬＣ３６は、「韓国語」と表されており、韓国語の書籍の音声データを配信するページにアクセスする為のものである。また、リンク文字ＬＣ３７は、「戻る」と表されており、図５のリンク文字ＬＣ１５と同様に、当サイトのトップページに戻る為のものである。なお、上記各言語の書籍の音声とは、各言語の書籍（ジャンルは問わず全般）を音声化したもの、語学試験のリスニング問題の音声等である。ここで音声化されるものは、上述したものに限らず、フランス語やドイツ語等の他の様々な言語のものであっても良い。
【００５２】
ここで、ユーザがリンク文字ＬＣ３４〜３６の中のいずれかをクリックして学習情報提供サーバ１０にアクセスすると、画面Ｓにはそれに対応した音声配信のコンテンツ（例えば図１０）が表示される。図１０に示されたコンテンツは、例えばリンク文字ＬＣ３４をクリックした際に表示されるものである。このコンテンツにはリンク文字ＬＣ４１、ＬＣ４２、ＬＣ４３、ＬＣ４４、及び、ＬＣ４５が表示されている。ここで、「Global 音声コンテンツ」は、例えば４週間という期間で語学学習を行う為の学習プログラムであり、４つの音声コンテンツから構成されている。リンク文字ＬＣ４１、ＬＣ４２、ＬＣ４３、ＬＣ４４は、それぞれ「「1st week」ダウンロード」、「「2nd week」ダウンロード」、「「3rd week」ダウンロード」、「「4th week」ダウンロード」と表されており、語学学習用の音声コンテンツにリンクしたものである。ユーザは、週毎又は任意にこれらのコンテンツをダウンロードして語学学習することができる。なお、リンク文字ＬＣ４５は、「戻る」と表されており、図５のリンク文字ＬＣ１５と同様に、当サイトのトップページや図８又は図９のページ等に戻る為のものである。
【００５３】
リンク文字ＬＣ４１〜４４の中のいずれかをクリックすると、図１１に示されたフローチャートの処理が開始される。なお、図１１に示されたフローチャートは、図３のＳ６の処理を示したものであり、学習情報提供サーバ１０の制御部１１が実行する音声コンテンツ提供処理を示したものである。
【００５４】
ユーザが携帯端末Ｍ１を操作してリンク文字ＬＣ４１〜４４の中のいずれかをクリックすると、それを示す信号が学習情報提供サーバ１０に送信される。制御部１１は、これに呼応してユーザデータベース１３を参照し、携帯端末Ｍ１が会員登録されている端末であるか否かを判定する（Ｓ６１）。会員登録された端末でないと判定した場合（Ｓ６１：ＮＯ）、制御部１１は、図３のＳ４の会員登録処理を実行し、当該処理において会員登録が成されたときのみ、Ｓ６２の処理に進む。また、会員登録された端末であると判定した場合（Ｓ６１：ＹＥＳ）、ユーザが当コンテンツの音声データを購入したと判断する（Ｓ６２）。そしてこの購入履歴（「ダウンロードされたコンテンツ」）を、携帯端末Ｍ１のユーザに関するデータとしてユーザデータベース１３に格納する（Ｓ６３）。なお、音声コンテンツの代金は、会員費と同様に、携帯端末Ｍ１のキャリアが代行して徴収する。
【００５５】
ここで、ユーザデータベース１３に格納される「ダウンロードされたコンテンツ」のデータは、メール配信のフラグとなり得る。例えば、学習情報提供サーバ１０は、英語の音声コンテンツの購入履歴を有したユーザに英語学習の為のメールを配信する、或いは、中国語の音声コンテンツの購入履歴を有したユーザに中国語学習の為のメールを配信する等、「ダウンロードされたコンテンツ」のデータを参照することにより、ユーザに適切なメールを配信することができる。
【００５６】
購入履歴格納後、制御部１１は、図７と同様の機種判別処理を実行し、その検索結果に基づいて携帯端末Ｍ１で再生可能な音声を書籍用データ格納フォルダ１４ｂの中から抽出して携帯端末Ｍ１に送信する（Ｓ６４）。携帯端末Ｍ１は、当コンテンツの音声データを受信して図示しないメモリに保存する。これにより、当コンテンツの音声データのダウンロードが完了する。ユーザは携帯端末Ｍ１を操作することにより、ダウンロードされた音声を再生し、語学学習することができる。
【００５７】
なお、ユーザは、例えばリンク文字ＬＣ４１にリンクされた英語の音声コンテンツを購入すると、リンク文字ＬＣ４１〜ＬＣ４４にリンクされた４つの構成コンテンツの全てを一ヶ月間自由に（無料で）ダウンロードすることができる。また、例えばリンク文字ＬＣ４２〜４４のいずれかにリンクされた言語の音声コンテンツを購入すると、先と同様に、その言語の構成コンテンツの全てを一ヶ月間自由に（無料で）ダウンロードすることができる。
【００５８】
図２に示されたトップページにおいて、リンク文字ＬＣ４の下方には、リンク文字ＬＣ５が表示されている。このリンク文字ＬＣ５は「Global 単語帳」と表されている。ユーザは、携帯端末Ｍ１を操作してリンク文字ＬＣ５をクリックすることにより、図１２に示された「Global 単語帳」のコンテンツにアクセスすることができる。なお、別の実施形態では、会員の有無によってそれぞれ異なる単語帳のコンテンツにアクセスされるように設定することもできる。この場合、例えば、リンク文字ＬＣ５のリンク先を非会員であれば非会員専用のものに設定し、会員であれば会員専用のものに設定することが想定される。
【００５９】
「Global 単語帳」のコンテンツは、最上部に表示されるコンテンツ名（単語帳）、及び、リンク文字ＬＣ５１〜５６を有している。リンク文字ＬＣ５１は、「お試し単語帳」と表されており、リンク文字ＬＣ５をクリックした当サイトの非会員をターゲットとした無料コンテンツにリンクしたものである。リンク文字ＬＣ５２、ＬＣ５３、ＬＣ５４、ＬＣ５５は、それぞれ「英語」、「中国語」、「韓国語」、「フランス語」と表されており、リンク文字ＬＣ５をクリックした当サイトの会員をターゲットとした有料コンテンツにリンクしたものである。「お試し単語帳」は、会員専用の単語帳に対し、利用制限された内容となっている。なお、リンク文字ＬＣ５６は、「戻る」と表されており、図５のリンク文字ＬＣ１５と同様に当サイトのトップページに戻る為のものである。
【００６０】
「単語帳」のコンテンツについて説明する。このコンテンツには、各言語に対し、学習レベルに応じて複数段階に設定された複数種類の単語帳がそれぞれ用意されている。なお、これらの単語帳の各々には例えば６００個の単語が設定されている。これらの単語は、全て、単語帳用データ格納フォルダ１４ｃに蓄積されている。単語帳用データ格納フォルダ１４ｃには、各言語の各単語帳のデータベースとして、図１３に示されるような以下の項目のデータを蓄積している。
・単語番号
・単語名
・意味
・単語画像格納場所
・単語音声格納場所
・品詞
・ローテーション
・表示順
単語番号は、各単語の識別する為に便宜上割り振られた番号である。また、単語名はその単語のスペルのテキストデータであり、意味はその単語の意味のテキストデータである。また、単語画像格納場所は、携帯端末Ｍ１がテキストデータで表示できない言語（英語や日本語以外の言語であり、例えば中国語や韓国語等）の単語のスペルの画像を格納した、単語帳用データ格納フォルダ１４ｃ中のアドレスである。なお、携帯端末Ｍ１がこれらの言語のテキストデータを表示できる場合、このようなスペルの画像は不要といえる。その場合、単語帳用データ格納フォルダ１４ｃには、単語名すなわちその単語のスペルのテキストデータがあれば良い。また、単語音声格納場所は、その単語の音声データを格納した単語帳用データ格納フォルダ１４ｃ中のアドレスである。また、品詞はその単語の品詞（例えば動詞なら「動」、名詞なら「名」等）を示す。また、ローテーションは、配信される単語の順序を決定する為の設定情報である。また、表示順は、単語群が配信されたときに端末側で表示される単語の順番を決定する為の設定情報である。単語帳用データ格納フォルダ１４ｃは、一つの単語に対し、これらの項目を関連付けて記憶している。なお、図１３に示されたテーブルは英語のものである為、単語画像格納場所の欄が空欄となっている。
【００６１】
リンク文字ＬＣ５２〜５５の中のいずれかをクリックすると、図１４に示されたフローチャートの処理が開始される。なお、図１４に示されたフローチャートは、図３のＳ７の処理を示したものであり、学習情報提供サーバ１０の制御部１１が実行する単語帳提供処理を示したものである。
【００６２】
ユーザが携帯端末Ｍ１を操作してリンク文字ＬＣ５２〜５５の中のいずれかをクリックすると、それを示す信号が学習情報提供サーバ１０に送信される。ここで、制御部１１は、ユーザデータベース１３を参照し、携帯端末Ｍ１が会員登録されている端末であるか否かを判定する（Ｓ１０１）。会員登録された端末でないと判定した場合（Ｓ１０１：ＮＯ）、制御部１１は、図３のＳ４の会員登録処理を実行し、当該処理において会員登録が成されたときのみ、Ｓ１０２の処理に進む。
【００６３】
会員登録された端末であると判定した場合（Ｓ１０１：ＹＥＳ）、制御部１１は、ユーザがいずれかの単語帳に既に登録しているか否かを判定する（Ｓ１０２）。単語帳に登録済みであると判定した場合（Ｓ１０２：ＹＥＳ）、その単語帳の種類（言語と学習レベル）を確認し（Ｓ１０３）、Ｓ１０９の処理に進む。また、いずれの単語帳にも登録していないと判定した場合（Ｓ１０２：ＮＯ）、単語帳を選択させる為のコンテンツデータを携帯端末Ｍ１に送信する。これにより画面Ｓに図１５に示されたコンテンツが表示される。
【００６４】
図１５に示されたコンテンツでは、その最上部にコンテンツ名（単語帳一覧）が表示され、その下方にリンク文字ＬＣ６１、ＬＣ６２、ＬＣ６３、ＬＣ６４、及び、ＬＣ６５が表示される。リンク文字ＬＣ６１、ＬＣ６２、ＬＣ６３、ＬＣ６４は、それぞれ「レベル１（全６０日）」、「レベル２（全６０日）」、「レベル３（全６０日）」、「レベル４（全６０日）」と表されている。また、リンク文字ＬＣ６５は、「戻る」と表されており、図５のリンク文字ＬＣ１５と同様にトップページに戻る為のものである。
【００６５】
ユーザが携帯端末Ｍ１を操作してリンク文字ＬＣ６１〜６４の中のいずれかをクリックすると、それを示す信号が学習情報提供サーバ１０に送信される。これにより、制御部１１は、当該ユーザが選択した単語帳を検知し（Ｓ１０４）、それを「登録単語帳」としてユーザデータベース１３に格納する（Ｓ１０５）。
【００６６】
制御部１１は、次に、単語帳に関するメールの配信を希望するか否かを問うコンテンツデータを携帯端末Ｍ１に送信する。これにより、画面Ｓに当該コンテンツが表示される。ユーザがメール配信希望を選択した場合、制御部１１は、それを示す信号を受信し（Ｓ１０６：ＹＥＳ）、当該ユーザが「メール配信」を希望することをユーザデータベース１３に格納し（Ｓ１０７）、Ｓ１０８の処理に進む。また、ユーザがメール配信希望を選択しなかった場合（Ｓ１０６：ＮＯ）、制御部１１は、ユーザデータベース１３への格納処理を実行することなくＳ１０８の処理に進む。なお、図４のＳ４３の処理において当該ユーザがメールアドレスを登録しなかった場合、Ｓ１０６の判定処理は実行されない。この場合、制御部１１は、Ｓ１０５の処理実行後、Ｓ１０８の処理に進む。
【００６７】
Ｓ１０８の処理において、制御部１１は、ユーザデータベース１３内の携帯端末Ｍ１のユーザの単語帳に関する履歴をリセットし、別の場所に保存する。なお、ここでリセットされて別の場所に保存され得る履歴は、具体的には、「覚えた単語番号」、「間違えた単語番号」、「単語帳開始日」、「単語帳終了日」、「成績」である。すなわち新たな単語帳のデータを作成する為に、携帯端末Ｍ１のユーザが以前学習した単語帳に関するデータは、削除されて別の場所に保存される。制御部１１は、履歴リセット後、Ｓ１０９の単語帳学習処理に進む。
【００６８】
図１６は、図１４のＳ１０９の処理を示したフローチャートであって、学習情報提供サーバ１０の制御部１１が実行する単語帳学習処理を示したフローチャートである。この処理を実行することにより、ユーザは様々な言語の単語を学習することができる。
【００６９】
制御部１１は、先ず、ユーザデータベース１３を参照して携帯端末Ｍ１の製造番号を確認し（Ｓ１１０）、単語帳用データ格納フォルダ１４ｃの中から当該ユーザの登録単語帳のデータベースを検索する（Ｓ１１１）。そして検索された単語帳のローテーションを確認し（Ｓ１１２）、それに基づいてユーザに提供する単語を設定する。なお、ローテーションに割り振られた数字は図１３に示されるように「１」〜「６０」であり、これらの数字の各々は１０個の単語に割り振られている。例えば前日に「１」が割り当てられた１０個の単語が提供されていた場合、その翌日には「２」が割り当てられた１０個の単語が提供される。このような順序及び数で、提供される単語が設定されていく。提供される単語が「６０」のローテーションを割り振られたものであった場合、その翌日には再び「１」のものが提供され得る。なお、提供され得る単語は、学習情報提供サーバ１０側の負担を軽減する為に、ユーザによって異なり得るであろう単語帳登録日に関係なく、全てのユーザに対して同じものとなる。
【００７０】
制御部１１は、図示しないクロック等に基づいて現在の日にちを「単語帳開始日」としてユーザデータベース１３に格納すると共に、「単語帳終了日」もユーザデータベース１３に格納する。ここで、単語帳はその学習期間を６０日に設定されている為、「単語帳終了日」は本日より６０日後となる。そして制御部１１は、単語帳用データ格納フォルダ１４ｃ内の各単語帳のデータベースを参照して学習日数と学習単語数を算出し、それらを端末側で表示させる為のコンテンツデータを携帯端末Ｍ１に送信する（Ｓ１１３）。なお、本実施形態では、全ての単語帳の学習日数と学習単語数が同一であり、それぞれ６０日間と６００個である。
【００７１】
制御部１１は、上記クロック等でカウントされるカウント値ｎを１に設定し（Ｓ１１４）、Ｓ１１２の処理で設定された１０個の単語の各々に割り振られた表示順を確認する（Ｓ１１５）。ここで、図１３に示されるように、各ローテーションの１０個の単語の各々には表示順として「１」〜「１０」が割り振られている。制御部１１は、カウント値ｎと一致する表示順の数字を有した単語のコンテンツデータを携帯端末Ｍ１に提供する。
【００７２】
制御部１１は、携帯端末Ｍ１に提供する単語のコンテンツデータを作成する為に、Ｓ１１６の単語作成処理を実行する。ここで、図１７に、図１６のＳ１１６の単語作成処理の詳細を示す。
【００７３】
制御部１１は、提供し得る単語を携帯端末Ｍ１で表示させる為に画像データが必要か否かを判定する（Ｓ１１６１）。例えば提供し得る単語が英語の場合、携帯端末Ｍ１がそのテキストデータをサポートしている為、制御部１１は、画像データが不要と判定する（Ｓ１１６１：ＮＯ）。そして単語帳用データ格納フォルダ１４ｃ内の「単語名」を参照し、提供し得るコンテンツデータを作成し、携帯端末Ｍ１に送信する（Ｓ１１６２）。これにより、画面Ｓには例えば図１８（ａ）に示されたようなコンテンツが表示される。
【００７４】
また、例えば提供し得る単語が韓国語の場合、携帯端末Ｍ１がそのテキストデータをサポートしていない為、制御部１１は、画像データが必要と判定し（Ｓ１１６１：ＹＥＳ）、図７と同様の機種判別処理を実行する。そして適切なファイル形式及びサイズの画像を検知し、単語帳用データ格納フォルダ１４ｃ内の「単語画像格納場所」を参照して該当する画像データを抽出する。そしてその画像を元に、提供し得るコンテンツデータを作成して携帯端末Ｍ１に送信する（Ｓ１１６２）。これにより、画面Ｓには例えば図１８（ａ）に示されたようなコンテンツ（ただし単語が韓国語）が表示される。
【００７５】
図１８（ａ）の単語帳コンテンツの最上部には学習レベルが示されており（ここではレベル３）、その下方には提供された単語のスペル（graceful）が表示されている。また、さらにその下方にはリンク文字ＬＣ７１、ＬＣ７２、ＬＣ７３、及び、ＬＣ７４が表示されている。リンク文字ＬＣ７１、ＬＣ７２、ＬＣ７３は、それぞれ「発音（１ＫＢ）」、「意味」、「前の単語に戻る」が表されている。また、リンク文字ＬＣ７４は、「単語帳ＴＯＰへ」と表されており、図１２に示されたコンテンツへのアクセスを果たし得るものである。
【００７６】
ここで、ユーザが携帯端末Ｍ１を操作してリンク文字ＬＣ７１をクリックすると、それを示す信号が学習情報提供サーバ１０に送信され（Ｓ１１７：ＹＥＳ）、制御部１１は、Ｓ１１８の音声出力処理を実行する。図１９に、図１６のＳ１１８の音声出力処理の詳細を示す。
【００７７】
制御部１１は、先ず、図７と同様の機種判別処理を実行し、携帯端末Ｍ１で再生可能な適切なファイル形式の音声を検知する。そしてその検知結果に基づいて単語帳用データ格納フォルダ１４ｃ内の「単語音声格納場所」を参照し、該当する音声データを抽出して携帯端末Ｍ１に送信する（Ｓ１１８１）。これにより、携帯端末Ｍ１で「graceful」の音声が再生される。なお、ここでの音声は、ストリーミングであり、携帯端末Ｍ１に保存されない。また、画面Ｓは切り替わることなく図１８（ａ）に示された状態を保つ。また、ユーザがリンク文字ＬＣ７１をクリックしない場合、Ｓ１１８の音声出力処理は実行されない（Ｓ１１７：ＮＯ）。
【００７８】
画面Ｓが図１８（ａ）の状態において、ユーザが携帯端末Ｍ１を操作してリンク文字ＬＣ７３をクリックした場合、それを示す信号が学習情報提供サーバ１０に送信される（Ｓ１１９：ＬＣ７３）。制御部１１は、この送信データに呼応してカウント値ｎを１減算し（Ｓ１２０）、Ｓ１１５の処理に戻る。これにより、１つ前の単語（割り振られた表示順が１小さい単語）のコンテンツが画面Ｓに再表示され得る。なお、現在表示されている単語の表示順が「１」の場合、図１８（ａ）の如き状態において画面Ｓにリンク文字ＬＣ７３は表示されない。
【００７９】
また、画面Ｓが図１８（ａ）の状態において、ユーザが携帯端末Ｍ１を操作してリンク文字ＬＣ７４をクリックした場合、携帯端末Ｍ１は、図１２に示されたコンテンツに戻ることができる（Ｓ１１９：ＬＣ７４及びＳ１２７）。
【００８０】
また、画面Ｓが図１８（ａ）の状態において、ユーザが携帯端末Ｍ１を操作してリンク文字ＬＣ７２をクリックした場合、それを示す信号が学習情報提供サーバ１０に送信される（Ｓ１１９：ＬＣ７２）。制御部１１は、これに呼応し、単語帳用データ格納フォルダ１４ｃ内の「意味」及び「品詞」を参照して該当するテキストデータを抽出する。そしてそれを元に、提供し得るコンテンツデータを作成して携帯端末Ｍ１に送信する（Ｓ１２１）。これにより、画面Ｓには例えば図１８（ｂ）に示されたようなコンテンツが表示される。
【００８１】
図１８（ｂ）の単語帳コンテンツの最上部には学習レベルが示されており（ここではレベル３）、その下方には提供された単語の品詞（［形］）及び意味（優雅な）が表示されている。また、さらにその下方にはリンク文字ＬＣ７５、ＬＣ７６、及び、ＬＣ７７が表示されている。リンク文字ＬＣ７５、ＬＣ７６は、それぞれ「次へ」、「前の単語に戻る」が表されている。また、リンク文字ＬＣ７７は、「単語帳ＴＯＰへ」と表されており、図１２に示されたコンテンツへのアクセスを果たし得るものである。なお、図１８（ｂ）に示されたようなコンテンツにおいて、発音記号やピンイン等を表示させることもできる。
【００８２】
画面Ｓが図１８（ｂ）の状態において、ユーザが携帯端末Ｍ１を操作してリンク文字ＬＣ７６をクリックした場合、それを示す信号が学習情報提供サーバ１０に送信される（Ｓ１２２：ＬＣ７６）。制御部１１は、この送信データに呼応してカウント値ｎを１減算し（Ｓ１２０）、Ｓ１１５の処理に戻る。これにより、１つ前の単語（割り振られた表示順が１小さい単語）のコンテンツが画面Ｓに再表示され得る。なお、現在表示されている単語の表示順が「１」の場合、図１８（ｂ）の如き状態において画面Ｓにリンク文字ＬＣ７６は表示されない。
【００８３】
また、画面Ｓが図１８（ｂ）の状態において、ユーザが携帯端末Ｍ１を操作してリンク文字ＬＣ７７をクリックした場合、携帯端末Ｍ１は、図１２に示されたコンテンツに戻ることができる（Ｓ１２２：ＬＣ７７及びＳ１２７）。
【００８４】
また、画面Ｓが図１８（ｂ）の状態において、ユーザが携帯端末Ｍ１を操作してリンク文字ＬＣ７５をクリックした場合、それを示す信号が学習情報提供サーバ１０に送信される（Ｓ１２２：ＬＣ７５）。制御部１１は、この送信データに呼応し、現在提供している単語を、携帯端末Ｍ１に以前配信したことがあるか否かを判定する（Ｓ１２３）。配信したことがあると判定した場合（Ｓ１２３：ＹＥＳ）、Ｓ１２５の処理に進む。また、配信したことがないと判定した場合（Ｓ１２３：ＮＯ）、この単語の単語番号を、配信済みのものとしてユーザデータベース１３に格納し（Ｓ１２４）、Ｓ１２５の処理に進む。
【００８５】
Ｓ１２５の処理において、制御部１１は、カウント値ｎを１加算し、当該カウント値ｎが１０より大きいか否かを判定する（Ｓ１２６）。カウント値ｎが１０よりも大きいと判定した場合（Ｓ１２６：ＹＥＳ）、提供した単語が１０個に達して本日提供分が完了したため単語帳提供処理を終了し、携帯端末Ｍ１に図１２のコンテンツデータを送信する（Ｓ１２７）。また、カウント値ｎが１０以下と判定した場合（Ｓ１２６：ＮＯ）、次の単語の学習情報をユーザに提供する為に、Ｓ１１５の処理に戻る。図１２のコンテンツ表示状態（Ｓ１２７の処理後の状態）においてリンク文字５６を選択すると図１６の単語帳学習処理が終了し、画面Ｓには図２のトップページが表示される。
【００８６】
なお、学習情報提供サーバ１０は、ユーザデータベース１３に、単語帳にアクセスした日や回数等を蓄積することができる。また、ユーザデータベース１３に格納された「単語帳終了日」に達したときに、それを通知するメールを携帯端末Ｍ１に送信することもできる。
【００８７】
学習情報提供サーバ１０は、「Global 単語帳」に登録したユーザに対し、登録日翌日から、図２０に示された、前日に提供した単語を復習させる為のメールを配信する。携帯端末Ｍ１がこのメールを開くと、画面Ｓの最上部に簡単な文面、その下方に前日に提供した１０個の単語Ｃ１、さらにその下方に復習テストにリンクしたＵＲＬ１が表示される。なお、１０個の単語Ｃ１は、テキストデータであっても良いが、一枚の画像データであっても良い。ユーザがＵＲＬ１をクリックすると、制御部１１が、それに呼応してユーザデータベース１３と単語帳用データ格納フォルダ１４ｃを参照し、携帯端末Ｍ１のユーザ専用の単語帳のコンテンツデータを作成して携帯端末Ｍ１に送信する。これにより、画面Ｓに、図２１に示されたコンテンツが表示される。なお、上記の配信メール及び復習テストは、０時の時点で登録されていた単語帳に従って作成され得る。
【００８８】
図２１のコンテンツの最上部には表題（あなたの単語帳）が表示され、以下、「現在の単語帳」、「学習した単語数」、「学習した日数」、「現在までの平均点」が表示される。現在の単語帳は、当ユーザが現在登録している単語帳の種類である。また、学習した単語数は、登録中の単語帳の中で学習した単語の数である。また、学習した日数は、登録中の単語帳を用いて学習した日数である。学習した単語数及び日数は、単純に「単語帳開始日」に基づいて算出され得る。また、現在までの平均点は、後述の復習テスト提供処理でユーザデータベース１３に格納される復習テストの成績に基づいて算出される点数である。
【００８９】
「現在までの平均点」のさらに下方には、リンク文字ＬＣ８１、ＬＣ８２、ＬＣ８３、ＬＣ８４が表示されている。リンク文字ＬＣ８１は本日の単語帳学習をする為のものであり、これをクリックすると、図１６の単語帳学習処理が開始される。また、リンク文字ＬＣ８２は本日の復習テストをする為のものであり、これをクリックすると、図３のＳ８の復習テスト提供処理が実行される。
【００９０】
ここで、図２２に、図３のＳ８の処理を示したものであり、学習情報提供サーバ１０の制御部１１が実行する復習テスト提供処理を示す。制御部１１は、先ず、復習テストとして外国語訳、日本語訳、リスニングの３パターンを選択させる為のコンテンツデータを送信する（Ｓ２０１）。ユーザがそのコンテンツに従っていずれかのパターンの復習テストを選択すると、制御部１１は、単語帳用データ格納フォルダ１４ｃのローテーションを確認し（Ｓ２０２）、該当する１０個の単語を抽出する。そして抽出された１０個の単語の出題順序を所定のアルゴリズムでランダムに設定し（Ｓ２０３）、カウント値ｎを１に設定する（Ｓ２０４）。そしてＳ２０５の問題作成処理を実行する。
【００９１】
図２３は、図２２のＳ２０５の問題作成処理を示したフローチャートである。制御部１１は、先ず、復習テストの言語を端末側で表示させる為に画像データを必要とするか否かを判定する（Ｓ２０５１）。例えば配信され得る復習テストが英語の場合、携帯端末Ｍ１がそのテキストデータをサポートしている為、制御部１１は、画像データが不要と判定する（Ｓ２０５１：ＮＯ）。そしてＳ２０３の処理で設定された順序に従った単語を、１０個の中から抽出し（ここでもカウント値と一致する単語が抽出される）、Ｓ２０５２の処理に進む。また、例えば配信され得る復習テストが韓国語の場合、携帯端末Ｍ１がそのテキストデータをサポートしていない為、制御部１１は、画像データが必要と判定し（Ｓ２０５１：ＹＥＳ）、図７と同様の機種判別処理を実行する。そして適切なファイル形式及びサイズの画像を検知し、その検知結果に基づき、該当する単語の画像データを単語帳用データ格納フォルダ１４ｃ内の「単語画像格納場所」を参照して抽出し、Ｓ２０５２の処理に進む。
【００９２】
Ｓ２０５２の処理において、制御部１１は、先の処理で抽出された復習テストの問題となる単語と同じ品詞の単語を、単語帳用データ格納フォルダ１４ｃの中で検索し、所定のアルゴリズムでランダムに１つ抽出する。このとき抽出された単語が問題となる単語と同じ訳の場合（Ｓ２０５３：ＹＥＳ）、Ｓ２０５２の処理に戻り、１つの単語を再びランダムに抽出する。また、抽出単語が問題となる単語と同じ訳でない場合（Ｓ２０５３：ＮＯ）、その抽出単語を解答候補として追加する（Ｓ２０５４）。そしてランダムに抽出されて解答候補に追加される単語が３つに達したか否かを判定する（Ｓ２０５５）。３つに達していないと判定した場合（Ｓ２０５５：ＮＯ）、Ｓ２０５２の処理に戻り、解答候補となり得る単語の抽出処理を続行する。また、３つに達したと判定した場合（Ｓ２０５５：ＹＥＳ）、先の処理で抽出された、問題となる単語とその解答となる訳、及び、ランダムに抽出された３つの解答候補の単語の訳に基づき、復習テストの問題のコンテンツデータを作成し、携帯端末Ｍ１に送信する（Ｓ２０５６）。
【００９３】
ユーザが外国語訳の復習テストを選択していた場合、テスト問題として図２４（ａ）に示されたコンテンツが画面Ｓに表示される。図２４（ａ）のコンテンツには、学習レベル（ここではレベル３）、問題番号（問１から問１０まである）、問題となる単語のスペル（unkempt）、リンク文字ＬＣ１０１、ＬＣ１０２、ＬＣ１０３、ＬＣ１０４、ＬＣ１０５、ＬＣ１０６が表示されている。リンク文字ＬＣ１０１は「発音（１ＫＢ）」と表されており、これをクリックすると「unkempt」の音声がストリーミングで再生される。また、リンク文字ＬＣ１０２〜１０５は、「unkempt」の解答候補の訳である。また、リンク文字ＬＣ１０６は、「やめる」と表されており、復習テストを中止し、図５のリンク文字ＬＣ１５と同様にトップページに戻る為のものである。
【００９４】
また、ユーザが日本語訳の復習テストを選択していた場合、テスト問題として図２４（ｂ）に示されたコンテンツが画面Ｓに表示される。図２４（ｂ）のコンテンツには、学習レベル（ここではレベル３）、問題番号（問１から問１０まである）、問題となる単語の意味及び品詞（［形］債務不履行の）、リンク文字ＬＣ１１１、ＬＣ１１２、ＬＣ１１３、ＬＣ１１４、ＬＣ１１５が表示されている。リンク文字ＬＣ１１１〜１１４は「債務不履行の」の解答候補の訳であり、リンク文字ＬＣ１１５はリンク文字ＬＣ１０６と同様のものである。
【００９５】
また、ユーザがリスニングの復習テストを選択していた場合、テスト問題として図２４（ｃ）に示されたコンテンツが画面Ｓに表示される。図２４（ｃ）のコンテンツには、学習レベル（ここではレベル３）、問題番号（問１から問１０まである）、リンク文字ＬＣ１２１、ＬＣ１２２、ＬＣ１２３、ＬＣ１２４、ＬＣ１２５、ＬＣ１２６が表示されている。リンク文字ＬＣ１２１は、「リスニング」と表されており、これをクリックすると、当リスニング問題の単語の音声がストリーミングで再生される。リンク文字ＬＣ１２２〜１２５は当リスニング問題の解答候補の訳であり、リンク文字ＬＣ１２６はリンク文字ＬＣ１０６と同様のものである。
【００９６】
ここで、ユーザが「やめる」と表されたリンク文字ＬＣ１０６や、ＬＣ１１５、ＬＣ１２６をクリックすると、制御部１１は、これに呼応し、本フローチャートの復習テスト提供処理を終了させ（Ｓ２０６：ＹＥＳ）、トップページのコンテンツデータを携帯端末Ｍ１に送信する。また、ユーザがいずれかの解答候補を選択した場合、制御部１１は、Ｓ２０７の正誤表示処理を実行する。
【００９７】
図２５は、図２２のＳ２０７の正誤表示処理を示したフローチャートである。制御部１１は、先ず、ユーザが正解又は不正解のいずれを選択したかを判定する（Ｓ２０７１）。例えば図２４（ａ）においてユーザがリンク文字ＬＣ１０２〜ＬＣ１０４のいずれかを選択した場合、制御部１１は、不正解と判定し（Ｓ２０７１：不正解）、この単語（unkempt）の単語番号を、ユーザデータベース１３に「間違えた単語番号」として格納する（Ｓ２０７２）。そして携帯端末Ｍ１に、不正解である旨を通知するコンテンツデータを送信する（Ｓ２０７３）。これにより、画面Ｓに不正解であることが表示され、ユーザは解答を誤ったことを認識し得る。
【００９８】
また、例えば図２４（ａ）においてユーザがリンク文字ＬＣ１０５を選択した場合、制御部１１は、正解と判定し（Ｓ２０７１：正解）、この単語（unkempt）の単語番号が「覚えた単語番号」としてユーザデータベース１３に格納されているか否かを判定する（Ｓ２０７４）。ここで、格納されていると判定した場合（Ｓ２０７４：ＹＥＳ）、携帯端末Ｍ１に、正解である旨を通知するコンテンツデータを送信する（Ｓ２０７３）。これにより、画面Ｓに正解であることが表示され、ユーザは問題に正解したことを認識し得る。また、単語番号が格納されていないと判定した場合（Ｓ２０７４：ＮＯ）、制御部１１は、この単語の単語番号を、「覚えた単語番号」としてユーザデータベース１３に格納し（Ｓ２０７５）、先と同様とＳ２０７３の処理を実行する。なお、ユーザが「間違えた単語番号」として記録されていた単語を正解した場合、制御部１１は、それに呼応するように、当該単語を「間違えた単語番号」の項目から削除し得る。
【００９９】
正誤表示のコンテンツの「やめる」等のリンク文字をユーザがクリックすると、制御部１１は、これに呼応し、本フローチャートの復習テスト提供処理を終了させ（Ｓ２０８：ＹＥＳ）、トップページのコンテンツデータを携帯端末Ｍ１に送信する。また、正誤表示のコンテンツの「次の問題へ」等のリンク文字をユーザがクリックすると、制御部１１は、カウント値を１加算し（Ｓ２０９）、当該カウント値ｎが１０より大きいか否かを判定する（Ｓ２１０）。カウント値ｎが１０よりも大きいと判定した場合（Ｓ２１０：ＹＥＳ）、出題単語が１０個に達して本日提供分が完了したと判断し、本日の復習テストの結果（例えば何問正解したか等）を算出する。そしてその算出データに基づいて本日の復習テストの成績を表示するコンテンツデータを作成し、携帯端末Ｍ１に送信する（Ｓ２１１）。これにより、携帯端末Ｍ１に復習テストの成績が表示される。また、制御部１１は、算出データを当ユーザの成績としてユーザデータベース１３に格納し（Ｓ２１２）、復習テスト提供処理を終了させる。また、カウント値ｎが１０以下と判定した場合（Ｓ２１２：ＮＯ）、次の単語の復習テストをユーザに提供する為に、Ｓ２０５の処理に戻る。
【０１００】
本実施形態の学習情報提供システム１００では、ユーザに対して復習テストの提供やその成績等の提示を実施する為、当該ユーザは効率良く且つ高い学習効果を得ることができる。また、図７に示されたような機種判別処理を実行し、それぞれの機種に対応して適切なファイル形式やサイズの画像・音声を提供することができる為、端末が多様化して様々な規格が作られてもそれに充分に対応することができる。
【０１０１】
なお、図２１に示されたコンテンツにおいて、リンク文字ＬＣ８３をクリックすると、ユーザは、前日の復習テストを受けることができる。また、リンク文字ＬＣ８４をクリックすると、前々日の復習テストを受けることができる。
【０１０２】
図２１のリンク文字ＬＣ８５は、「テスト間違い履歴」と表されており、これをクリックすると、制御部１１は、それに呼応してユーザデータベース１３の「間違えた単語番号」を参照し、当該ユーザが間違えた単語を表示する為のコンテンツデータを携帯端末Ｍ１に送信する。これにより、ユーザは、自身が間違えた単語を閲覧することができる。
【０１０３】
図２１のリンク文字ＬＣ８６は、「単語帳を変更する」と表されており、これをクリックすると、制御部１１は、それに呼応して図１５の如きコンテンツデータを携帯端末Ｍ１に送信する。これにより、ユーザは、学習したい単語帳を別のものに変更することができる。
【０１０４】
図２１のリンク文字ＬＣ８７は、「前回の単語帳履歴」と表されており、これをクリックすると、制御部１１は、それに呼応してユーザデータベース１３の中から前回の履歴を抽出し、それを表示する為のコンテンツデータを携帯端末Ｍ１に送信する。これにより、ユーザは、前回の単語帳の履歴（成績等）を知ることができる。
【０１０５】
図２１のリンク文字ＬＣ８８は、「戻る」と表されており、図５のリンク文字ＬＣ１５と同様にトップページに戻る為のものである。
【０１０６】
なお、「Global 単語帳」の利用料は会員費に含まれており、追加金を徴収されることはない。また、学習情報提供サーバ１０は、ユーザが別の単語帳に切り替えない限り、当該ユーザに同一の単語帳を提供し続ける。例えばユーザがある単語帳を６０日間継続して学習すると、学習情報提供サーバ１０は、０時を過ぎた時点で過去６０日間の単語帳の履歴（「覚えた単語番号」、「間違えた単語番号」、「単語帳開始日」、「単語帳終了日」、「成績」等）をリセットし、ユーザデータベース１３内の別の場所に保存する。
【０１０７】
なお、制御部１１は、復習テストの成績に応じてユーザ毎にポイントを付与する。また、「Global 音声コンテンツ」において音声コンテンツをダウンロードしたときにもポイントを付与する。このポイントの有効期限はなく、１ユーザに対して最高で１００００ポイントまで付与される。例えば、復習テストで一問正解する毎に１ポイント、音声コンテンツを１つダウンロードする毎に５０ポイント付与される。ユーザは、累積されたポイントを使用して当サイトが提供する懸賞等に応募することができる。なお、学習情報提供サーバ１０はユーザデータベースにポイントに関するデータを蓄積しており、ユーザは、トップページに表示され得る図示しないリンク文字をクリックすると、いつでも自身のポイントの確認、懸賞への応募、応募口数の設定等を行うことができる。
【０１０８】
懸賞への応募は、例えばメール等の形態で端末から送信することができる。制御部１１は、毎月の締切日までに応募のあった会員の中から所定数の当選者を所定のアルゴリズムで選定し得る。そして当選者に、住所登録ページのＵＲＬを記載した当選通知メールを送信し得る。ユーザが住所登録ページにアクセスして住所登録を行うと、サイト運営側は、その住所宛に景品を発送する。なお、当選通知メール送信後、二週間以内に住所登録がない場合、サイト運営側は、そのユーザの当選を無効とする。
【０１０９】
以上が本発明の実施形態である。本発明はこれらの実施形態に限定されるものではなく様々な範囲で変形が可能である。
【図面の簡単な説明】
【０１１０】
【図１】本発明の実施の形態の学習情報提供システムの構成を示した図である。
【図２】学習情報提供サーバ側が提供し得るサイトのトップページを示した図である。
【図３】本発明の実施の形態の学習情報提供システムにおいて実行されるメインルーチンを示した図である。
【図４】本発明の実施の形態の学習情報提供サーバの制御部が実行する会員登録処理を示したフローチャートである。
【図５】「お役立ち壁紙」のコンテンツを示した図である。
【図６】本発明の実施の形態の学習情報提供サーバの制御部が実行する無料コンテンツ提供処理を示したフローチャートである。
【図７】本発明の実施の形態の学習情報提供サーバの制御部が実行する機種判別処理を示したフローチャートである。
【図８】「おすすめコンテンツ」のコンテンツを示した図である。
【図９】「Global 音声コンテンツ」のコンテンツを示した図である。
【図１０】音声配信のコンテンツを示した図である。
【図１１】本発明の実施の形態の学習情報提供サーバの制御部が実行する音声コンテンツ提供処理を示したフローチャートである。
【図１２】「単語帳」のコンテンツを示した図である。
【図１３】単語帳用データ格納フォルダに蓄積された単語帳のデータベースの一部を示した図である。
【図１４】本発明の実施の形態の学習情報提供サーバの制御部が実行する単語帳提供処理を示したフローチャートである。
【図１５】単語帳一覧のコンテンツを示した図である。
【図１６】本発明の実施の形態の学習情報提供サーバの制御部が実行する単語帳学習処理を示したフローチャートである。
【図１７】本発明の実施の形態の学習情報提供サーバの制御部が実行する単語作成処理を示したフローチャートである。
【図１８】単語学習のコンテンツを示した図である。
【図１９】本発明の実施の形態の学習情報提供サーバの制御部が実行する音声出力処理を示したフローチャートである。
【図２０】復習テストの為のメールを示した図である。
【図２１】ユーザ毎の専用の単語帳のコンテンツを示した図である。
【図２２】本発明の実施の形態の学習情報提供サーバの制御部が実行する復習テスト提供処理を示したフローチャートである。
【図２３】本発明の実施の形態の学習情報提供サーバの制御部が実行する問題作成処理を示したフローチャートである。
【図２４】各形式の復習テストのコンテンツを示した図である。
【図２５】本発明の実施の形態の学習情報提供サーバの制御部が実行する正誤表示処理を示したフローチャートである。
【符号の説明】
【０１１１】
１０  学習情報提供サーバ
１１  制御部
１２  メモリ
１３  ユーザデータベース
１４  学習情報データベース
Ｍ１〜Ｍｎ  携帯端末
【図１】
2006201209.tif 000003
【図２】
2006201209.tif 000004
【図３】
2006201209.tif 000005
【図４】
2006201209.tif 000006
【図５】
2006201209.tif 000007
【図６】
2006201209.tif 000008
【図７】
2006201209.tif 000009
【図８】
2006201209.tif 000010
【図９】
2006201209.tif 000011
【図１０】
2006201209.tif 000012
【図１１】
2006201209.tif 000013
【図１２】
2006201209.tif 000014
【図１３】
2006201209.tif 000015
【図１４】
2006201209.tif 000016
【図１５】
2006201209.tif 000017
【図１６】
2006201209.tif 000018
【図１７】
2006201209.tif 000019
【図１８】
2006201209.tif 000020
【図１９】
2006201209.tif 000021
【図２０】
2006201209.tif 000022
【図２１】
2006201209.tif 000023
【図２２】
2006201209.tif 000024
【図２３】
2006201209.tif 000025
【図２４】
2006201209.tif 000026
【図２５】
2006201209.tif 000027